(57)【要約】【課題】各端末装置の記憶容量を増大させることなく、円滑に処理を実行することが可能な情報処理システム、端末装置、データ処理方法及び制御プログラムを提供する。【解決手段】サーバ装置１００は、複数の設定データ及び各利用者が複数の端末装置で使用した設定データ毎の使用頻度を表す第１データを記憶するサーバ記憶部１０２を有し、各端末装置２００は、その端末装置において使用される設定データ毎の使用頻度を表す第２データを記憶する端末記憶部２１０と、その端末装置において使用頻度が最も高い設定データを記憶するとともに、その端末装置にログインした利用者による使用頻度が最も高い設定データが記憶されていない場合、第１データに基づいて、その端末装置にログインした利用者による使用頻度が最も高い設定データを取得して記憶する記憶制御部２２１と、設定データを使用して処理を実行する処理部２２２と、を有する。【選択図】図５
2020141314.tif 000002
【特許請求の範囲】
【請求項１】
複数の利用者がログイン可能な複数の端末装置と、前記複数の端末装置と通信接続可能なサーバ装置と、を有する情報処理システムであって、
前記サーバ装置は、
前記複数の端末装置で実行される何れかの処理で使用される複数の設定データ、及び、複数の利用者のそれぞれが前記複数の端末装置で使用した設定データ毎の使用頻度を表す第１データを記憶するサーバ記憶部を有し、
前記複数の端末装置のそれぞれは、
当該端末装置において使用される設定データ毎の使用頻度を表す第２データを記憶する端末記憶部と、
前記サーバ装置から取得した設定データの中から、前記第２データに基づいて、当該端末装置において使用頻度が最も高い設定データを前記端末記憶部に記憶するとともに、当該端末装置にログインした利用者による使用頻度が最も高い設定データが前記端末記憶部に記憶されていない場合、前記第１データに基づいて、当該端末装置にログインした利用者による使用頻度が最も高い設定データを前記サーバ装置から取得して前記端末記憶部に記憶する記憶制御部と、
前記第２データに基づいて前記端末記憶部に記憶した設定データ、又は、前記第１データに基づいて前記端末記憶部に記憶した設定データを使用して処理を実行する処理部と、を有する、
ことを特徴とする情報処理システム。
【請求項２】
前記複数の設定データは、複数の処理毎に設定され、
前記記憶制御部は、前記処理部が実行する処理に対応する設定データが前記端末記憶部に記憶されていない場合、当該設定データを前記サーバ装置から新たに取得し、
前記処理部は、前記新たに取得した設定データを使用して処理を実行する、請求項１に記載の情報処理システム。
【請求項３】
前記記憶制御部は、前記処理部が前記設定データを使用したときに、前記第２データに基づいて前記端末記憶部に記憶する設定データを更新する、請求項１または２に記載の情報処理システム。
【請求項４】
前記複数の端末装置のそれぞれは、表示部をさらに有し、
前記複数の設定データは、複数の言語毎に設定され、
前記複数の設定データのそれぞれには、前記表示部に表示するための各言語に対応する表示フォーマット、フォント、メッセージ又はボタンの情報が含まれる、請求項１〜３の何れか一項に記載の情報処理システム。
【請求項５】
複数の利用者がログイン可能な複数の端末装置と、前記複数の端末装置と通信接続可能であり、且つ、前記複数の端末装置で実行される何れかの処理で使用される複数の設定データ、及び、複数の利用者のそれぞれが前記複数の端末装置で使用した設定データ毎の使用頻度を表す第１データを記憶するサーバ装置とを有する情報処理システムにおける端末装置であって、
前記端末装置において使用される設定データ毎の使用頻度を表す第２データを記憶する端末記憶部と、
前記サーバ装置から取得した設定データの中から、前記第２データに基づいて、前記端末装置において使用頻度が最も高い設定データを前記端末記憶部に記憶するとともに、前記端末装置にログインした利用者による使用頻度が最も高い設定データが前記端末記憶部に記憶されていない場合、前記第１データに基づいて、当該端末装置にログインした利用者による使用頻度が最も高い設定データを前記サーバ装置から取得して前記端末記憶部に記憶する記憶制御部と、
前記第２データに基づいて前記端末記憶部に記憶した設定データ、又は、前記第１データに基づいて前記端末記憶部に記憶した設定データを使用して処理を実行する処理部と、
を有することを特徴とする端末装置。
【請求項６】
端末記憶部を有し且つ複数の利用者がログイン可能な複数の端末装置と、サーバ記憶部を有し且つ前記複数の端末装置と通信接続可能なサーバ装置と、を有する情報処理システムにおけるデータ処理方法であって、
前記サーバ装置が、
前記複数の端末装置で実行される何れかの処理で使用される複数の設定データ、及び、複数の利用者のそれぞれが前記複数の端末装置で使用した設定データ毎の使用頻度を表す第１データを前記サーバ記憶部に記憶し、
前記複数の端末装置のそれぞれが、
当該端末装置において使用される設定データ毎の使用頻度を表す第２データを前記端末記憶部に記憶し、
前記サーバ装置から取得した設定データの中から、前記第２データに基づいて、当該端末装置において使用頻度が最も高い設定データを前記端末記憶部に記憶するとともに、当該端末装置にログインした利用者による使用頻度が最も高い設定データが前記端末記憶部に記憶されていない場合、前記第１データに基づいて、当該端末装置にログインした利用者による使用頻度が最も高い設定データを前記サーバ装置から取得して前記端末記憶部に記憶し、
前記第２データに基づいて前記端末記憶部に記憶した設定データ、又は、前記第１データに基づいて前記端末記憶部に記憶した設定データを使用して処理を実行する、
ことを特徴とするデータ処理方法。
【請求項７】
端末記憶部を有し且つ複数の利用者がログイン可能な複数の端末装置と、前記複数の端末装置と通信接続可能であり、且つ、前記複数の端末装置で実行される何れかの処理で使用される複数の設定データ、及び、複数の利用者のそれぞれが前記複数の端末装置で使用した設定データ毎の使用頻度を表す第１データを記憶するサーバ装置とを有する情報処理システムにおける端末装置に実行させる制御プログラムであって、
前記端末装置において使用される設定データ毎の使用頻度を表す第２データを前記端末記憶部に記憶し、
前記サーバ装置から取得した設定データの中から、前記第２データに基づいて、前記端末装置において使用頻度が最も高い設定データを前記端末記憶部に記憶するとともに、前記端末装置にログインした利用者による使用頻度が最も高い設定データが前記端末記憶部に記憶されていない場合、前記第１データに基づいて、当該端末装置にログインした利用者による使用頻度が最も高い設定データを前記サーバ装置から取得して前記端末記憶部に記憶し、
前記第２データに基づいて前記端末記憶部に記憶した設定データ、又は、前記第１データに基づいて前記端末記憶部に記憶した設定データを使用して処理を実行する、
ことを前記端末装置に実行させることを特徴とする制御プログラム。
【発明の詳細な説明】
【技術分野】
【０００１】
本発明は、情報処理システム、端末装置、データ処理方法及び制御プログラムに関し、特に、設定データを使用して処理を実行する情報処理システム、端末装置、データ処理方法及び制御プログラムに関する。
【背景技術】
【０００２】
スキャナ、プリンタ等の組込装置である端末装置を複数有する情報処理システムにおいて、各端末装置が、複数の利用者に共有されて利用される場合がある。一般に、各端末装置は、複数の処理のそれぞれを実行するために使用される設定データを予め記憶しておき、記憶しておいた各設定データを使用して各処理を実行する。しかしながら、端末装置は、利用者毎に様々なサービスを提供する場合、全ての利用者に対して全てのサービスを提供するために必要な設定データを記憶しておくためには、膨大な記憶容量を有する記憶装置を備えておく必要がある。
【０００３】
近距離無線通信により外部デバイスから取得した言語関連情報に基づき、表示言語を決定する情報処理装置が開示されている（特許文献１）。この情報処理装置は、表示言語を表示するために用いられる言語データを記憶していない場合、外部装置から言語データを取得し、表示言語を表示する必要がなくなった後で、直近の特定期間内の使用頻度が特定の基準を満たさない場合、その言語データを消去する。
【０００４】
無線タグにその使用者の第１言語を登録しておき利用者に合わせて表示言語を切り替える画像形成装置が開示されている（特許文献２）。
【０００５】
複数の言語による文字コードで表現した操作画面を登録しておき、機器使用ユーザの指定言語を確認して指定言語による操作画面を情報機器に送る配信サーバが開示されている（特許文献３）。
【０００６】
使用者が使用したい言語を選択指示すると、指示された言語データ及び対応するフォントデータをサーバからダウンロードするファクシミリ装置が開示されている（特許文献４）。
【先行技術文献】
【特許文献】
【０００７】
【特許文献１】特開２０１８−４７６４３号公報
【特許文献２】特開２００６−２３５１８６号公報
【特許文献３】特開２００５−１５１４１５号公報
【特許文献４】特開２００５−７２９１２号公報
【発明の概要】
【発明が解決しようとする課題】
【０００８】
複数の利用者に使用される端末装置を有する情報処理システムにおいて、各端末装置の記憶容量を増大させることなく、より円滑に処理を実行することが望まれている。
【０００９】
本発明の目的は、複数の利用者に使用される端末装置を有する情報処理システムにおいて、各端末装置の記憶容量を増大させることなく、円滑に処理を実行することが可能な情報処理システム、端末装置、データ処理方法及び制御プログラムを提供することにある。
【課題を解決するための手段】
【００１０】
本発明の一側面に係る情報処理システムは、複数の利用者がログイン可能な複数の端末装置と、複数の端末装置と通信接続可能なサーバ装置と、を有する情報処理システムであって、サーバ装置は、複数の端末装置で実行される何れかの処理で使用される複数の設定データ、及び、複数の利用者のそれぞれが複数の端末装置で使用した設定データ毎の使用頻度を表す第１データを記憶するサーバ記憶部を有し、複数の端末装置のそれぞれは、その端末装置において使用される設定データ毎の使用頻度を表す第２データを記憶する端末記憶部と、サーバ装置から取得した設定データの中から、第２データに基づいて、その端末装置において使用頻度が最も高い設定データを端末記憶部に記憶するとともに、その端末装置にログインした利用者による使用頻度が最も高い設定データが端末記憶部に記憶されていない場合、第１データに基づいて、その端末装置にログインした利用者による使用頻度が最も高い設定データをサーバ装置から取得して端末記憶部に記憶する記憶制御部と、第２データに基づいて端末記憶部に記憶した設定データ、又は、第１データに基づいて端末記憶部に記憶した設定データを使用して処理を実行する処理部と、を有する。
【００１１】
本発明の一側面に係る端末装置は、複数の利用者がログイン可能な複数の端末装置と、複数の端末装置と通信接続可能であり、且つ、複数の端末装置で実行される何れかの処理で使用される複数の設定データ、及び、複数の利用者のそれぞれが複数の端末装置で使用した設定データ毎の使用頻度を表す第１データを記憶するサーバ装置とを有する情報処理システムにおける端末装置であって、端末装置において使用される設定データ毎の使用頻度を表す第２データを記憶する端末記憶部と、サーバ装置から取得した設定データの中から、第２データに基づいて、端末装置において使用頻度が最も高い設定データを端末記憶部に記憶するとともに、端末装置にログインした利用者による使用頻度が最も高い設定データが端末記憶部に記憶されていない場合、第１データに基づいて、その端末装置にログインした利用者による使用頻度が最も高い設定データをサーバ装置から取得して端末記憶部に記憶する記憶制御部と、第２データに基づいて端末記憶部に記憶した設定データ、又は、第１データに基づいて端末記憶部に記憶した設定データを使用して処理を実行する処理部と、を有する。
【００１２】
本発明の一側面に係るデータ処理方法は、端末記憶部を有し且つ複数の利用者がログイン可能な複数の端末装置と、サーバ記憶部を有し且つ複数の端末装置と通信接続可能なサーバ装置と、を有する情報処理システムにおけるデータ処理方法であって、サーバ装置が、複数の端末装置で実行される何れかの処理で使用される複数の設定データ、及び、複数の利用者のそれぞれが複数の端末装置で使用した設定データ毎の使用頻度を表す第１データをサーバ記憶部に記憶し、複数の端末装置のそれぞれが、その端末装置において使用される設定データ毎の使用頻度を表す第２データを端末記憶部に記憶し、サーバ装置から取得した設定データの中から、第２データに基づいて、その端末装置において使用頻度が最も高い設定データを端末記憶部に記憶するとともに、その端末装置にログインした利用者による使用頻度が最も高い設定データが端末記憶部に記憶されていない場合、第１データに基づいて、その端末装置にログインした利用者による使用頻度が最も高い設定データをサーバ装置から取得して端末記憶部に記憶し、第２データに基づいて端末記憶部に記憶した設定データ、又は、第１データに基づいて端末記憶部に記憶した設定データを使用して処理を実行する。
【００１３】
本発明の一側面に係る制御プログラムは、端末記憶部を有し且つ複数の利用者がログイン可能な複数の端末装置と、複数の端末装置と通信接続可能であり、且つ、複数の端末装置で実行される何れかの処理で使用される複数の設定データ、及び、複数の利用者のそれぞれが複数の端末装置で使用した設定データ毎の使用頻度を表す第１データを記憶するサーバ装置とを有する情報処理システムにおける端末装置に実行させる制御プログラムであって、端末装置において使用される設定データ毎の使用頻度を表す第２データを端末記憶部に記憶し、サーバ装置から取得した設定データの中から、第２データに基づいて、端末装置において使用頻度が最も高い設定データを端末記憶部に記憶するとともに、端末装置にログインした利用者による使用頻度が最も高い設定データが端末記憶部に記憶されていない場合、第１データに基づいて、その端末装置にログインした利用者による使用頻度が最も高い設定データをサーバ装置から取得して端末記憶部に記憶し、第２データに基づいて端末記憶部に記憶した設定データ、又は、第１データに基づいて端末記憶部に記憶した設定データを使用して処理を実行することを端末装置に実行させる。
【発明の効果】
【００１４】
本発明によれば、情報処理システム、端末装置、データ処理方法及び制御プログラムは、複数の利用者に使用される端末装置を有する情報処理システムにおいて、各端末装置の記憶容量を増大させることなく、円滑に処理を実行することができる。
【図面の簡単な説明】
【００１５】
【図１】情報処理システム１の一例の構成図である。
【図２Ａ】設定データテーブルのデータ構造の一例を示す図である。
【図２Ｂ】利用者テーブルのデータ構造の一例を示す図である。
【図３】端末テーブルのデータ構造の一例を示す図である。
【図４】端末記憶装置２１０及び端末ＣＰＵ２２０の概略構成を示す図である。
【図５】データ処理の動作の例を示す動作シーケンスである。
【図６Ａ】開始画面６００の一例を示す模式図である。
【図６Ｂ】処理画面６１０の一例を示す模式図である。
【図６Ｃ】結果画面６２０の一例を示す模式図である。
【図７】他の制御回路３３０の概略構成を示す図である。
【発明を実施するための形態】
【００１６】
以下、本発明の一側面に係る情報処理システムについて図を参照しつつ説明する。但し、本発明の技術的範囲はそれらの実施の形態に限定されず、特許請求の範囲に記載された発明とその均等物に及ぶ点に留意されたい。
【００１７】
図１は、実施形態に従った情報処理システム１の一例の構成図である。
【００１８】
情報処理システム１は、サーバ装置１００と、複数の端末装置２００とを有する。
【００１９】
サーバ装置１００と、各端末装置２００とは、それぞれ、有線又は無線による通信機能を有し、ネットワーク３００に接続され、ネットワーク３００を介して相互に通信接続可能である。例えば、各端末装置２００は、一つの建物内の異なるフロアにそれぞれ配置され、イントラネット等のネットワーク３００を介してサーバ装置１００と通信する。なお、各端末装置２００は、異なる建物にそれぞれ配置され、インターネット、電話回線網（携帯端末回線網、一般電話回線網を含む）等のネットワーク３００を介してサーバ装置１００と通信してもよい。
【００２０】
サーバ装置１００は、サーバ通信装置１０１と、サーバ記憶装置１０２と、サーバＣＰＵ（Central Processing Unit）１０３とを有する。以下、サーバ装置１００の各部について詳細に説明する。
【００２１】
サーバ通信装置１０１は、ＴＣＰ／ＩＰ（Transmission Control Protocol/Internet Protocol）等の有線の通信インタフェース回路を有する。サーバ通信装置１０１は、イーサネット（登録商標）等の通信方式に従って、ネットワーク３００と通信接続する。サーバ通信装置１０１は、ネットワーク３００を介して各端末装置２００から受信したデータをサーバＣＰＵ１０３に供給し、サーバＣＰＵ１０３から供給されたデータを、ネットワーク３００を介して各端末装置２００に送信する。なお、サーバ通信装置１０１は、外部の装置と通信できるものであればどのようなものでもよい。例えば、サーバ通信装置１０１は、無線ＬＡＮ（Local Area Network）通信方式に従って不図示のアクセスポイントを介して各端末装置２００と通信してもよい。または、サーバ通信装置１０１は、携帯電話通信方式に従って不図示の基地局装置を介して各端末装置２００と通信してもよい。
【００２２】
サーバ記憶装置１０２は、サーバ記憶部の一例である。サーバ記憶装置１０２は、ＲＡＭ（Random Access Memory）、ＲＯＭ（Read Only Memory）等のメモリ装置、ハードディスク等の固定ディスク装置、又はフレキシブルディスク、光ディスク等の可搬用の記憶装置等を有する。また、サーバ記憶装置１０２には、サーバ装置１００の各種処理に用いられるコンピュータプログラム、データベース、テーブル等が格納される。コンピュータプログラムは、例えばＣＤ−ＲＯＭ（compact disk read only memory）、ＤＶＤ−ＲＯＭ（digital versatile disk read only memory）等のコンピュータ読み取り可能な可搬型記録媒体からインストールされてもよい。コンピュータプログラムは、公知のセットアッププログラム等を用いてサーバ記憶装置１０２にインストールされる。
【００２３】
また、サーバ記憶装置１０２には、データとして、複数の設定データ、設定データテーブル及び利用者テーブルが記憶される。各設定データは、複数の端末装置２００で実行される複数の処理の内の何れかの処理で使用されるデータである。即ち、各設定データは、複数の処理毎に設定され、複数の端末装置２００で共通に使用される。各端末装置２００で実行される処理には、開始処理及び通常処理が含まれる。開始処理は、利用者が端末装置２００にログインしたときに、端末装置２００に開始画面を表示させる処理である。情報処理システム１では、利用者毎に、実行可能な通常処理が事前に設定されており、開始画面には、ログインした利用者によって実行可能な通常処理が指定可能に一覧表示される。通常処理は、端末装置２００に特有の機能を実施する処理である。例えば端末装置２００がイメージスキャナである場合、通常処理は、原稿の読み取り、読み取った画像の補正、又は、補正した画像の送信等である。通常処理は、二以上の利用者に共通して実行され得る。
【００２４】
設定データには、処理内容及び表示リソース等の各情報が含まれる。処理内容は、各処理で実施される一又は複数のジョブ（仕事）である。表示リソースは、各処理が実行される際に端末装置２００に表示される表示画面に関する情報であり、表示リソースには、言語、表示フォーマット、フォント、メッセージ及びボタン等の各情報が含まれる。言語は、表示画面に表示される文字の言語であり、例えば日本語、英語、中国語等である。表示フォーマットは、表示画面における文字、画像等の配置を示す。フォントは、表示画面に表示される文字のフォントであり、例えば明朝体、ゴシック体等である。メッセージは、表示画面に文字により表示されるメッセージである。ボタンは、表示画面に表示される文字を含むボタンである。
【００２５】
このように、各設定データは、複数の言語毎に設定され、各設定データには、端末装置２００の表示装置２０３に表示するための各言語に対応する表示フォーマット、フォント、メッセージ又はボタンの情報が含まれる。設定データテーブル及び利用者テーブルの詳細については後述する。
【００２６】
サーバＣＰＵ１０３は、予めサーバ記憶装置１０２に記憶されているプログラムに基づいて動作する。サーバＣＰＵ１０３は、汎用プロセッサであってもよい。なお、サーバＣＰＵ１０３に代えて、ＤＳＰ（digital signal processor）、ＬＳＩ（large scale integration）等が用いられてよい。また、サーバＣＰＵ１０３に代えて、ＡＳＩＣ（Application Specific Integrated Circuit）、ＦＰＧＡ（Field-Programmable Gate Array）等が用いられてもよい。
【００２７】
サーバＣＰＵ１０３は、サーバ通信装置１０１及びサーバ記憶装置１０２と接続され、これらの各部を制御する。サーバＣＰＵ１０３は、サーバ通信装置１０１を介したデータ送受信制御及びサーバ記憶装置１０２の制御等を行って、各端末装置２００で使用された設定データの使用頻度を管理する。
【００２８】
各端末装置２００は、情報処理システム１を利用する複数の利用者が共有して利用可能な装置であり、複数の利用者がログイン可能な装置である。情報処理システム１において、各利用者は全ての端末装置２００を使用することができる。端末装置２００は、例えばイメージスキャナ、ＭＦＰ（Multifunction Peripheral）のような画像読取装置、又は、プリンタのような画像形成装置等の組込装置である。なお、端末装置２００は、ＰＣ（Personal Computer）、ノートＰＣ等の情報処理装置でもよい。
【００２９】
各端末装置２００は、端末通信装置２０１と、操作装置２０２と、表示装置２０３と、撮像装置２０４と、端末記憶装置２１０と、端末ＣＰＵ２２０と、制御回路２３０とを有する。以下、端末装置２００の各部について詳細に説明する。
【００３０】
端末通信装置２０１は、サーバ通信装置１０１と同様の通信インタフェース回路を有し、サーバ通信装置１０１と同様の通信方式に従って、ネットワーク３００と通信接続する。端末通信装置２０１は、ネットワーク３００を介してサーバ装置１００から受信したデータを端末ＣＰＵ２２０に供給し、端末ＣＰＵ２２０から供給されたデータを、ネットワーク３００を介してサーバ装置１００に送信する。
【００３１】
操作装置２０２は、タッチパネル式の入力装置、キーボード、マウス等の入力デバイス及び入力デバイスから信号を取得するインタフェース回路を有する。操作装置２０２は、ユーザにより入力された入力データを受け付け、受け付けた入力データに応じた信号を端末ＣＰＵ２２０に対して出力する。
【００３２】
表示装置２０３は、表示部の一例であり、液晶、有機ＥＬ（Electro-Luminescence）等から構成されるディスプレイ及びディスプレイに画像データ又は各種の情報を出力するインタフェース回路を有する。表示装置２０３は、端末ＣＰＵ２２０から出力された画像データをディスプレイに表示する。なお、タッチパネルディスプレイを用いて、操作装置２０２と表示装置２０３を一体に構成してもよい。
【００３３】
端末記憶装置２１０は、端末記憶部の一例であり、不揮発性記憶装置２１１及び揮発性記憶装置２１２を有する。不揮発性記憶装置２１１は、ＲＯＭ等のメモリ装置、ハードディスク等の固定ディスク装置、又はフレキシブルディスク、光ディスク等の可搬用の記憶装置等を含む。揮発性記憶装置２１２は、ＲＡＭ等のメモリ装置等を含む。また、不揮発性記憶装置２１１には、端末装置２００の各種処理に用いられるコンピュータプログラム、データベース、テーブル等が格納される。コンピュータプログラムは、例えばＣＤ−ＲＯＭ、ＤＶＤ−ＲＯＭ等のコンピュータ読み取り可能な可搬型記録媒体からインストールされてもよい。コンピュータプログラムは、公知のセットアッププログラム等を用いて不揮発性記憶装置２１１にインストールされる。
【００３４】
また、端末記憶装置２１０には、データとして、設定データ及び端末テーブル等が記憶される。不揮発性記憶装置２１１には、サーバ記憶装置１０２に記憶される複数の設定データの内、その端末装置２００において使用頻度が高い順に第１所定数の設定データが、長期的に記憶される。第１所定数は、１以上の数に予め設定され、例えば３である。不揮発性記憶装置２１１に記憶された設定データは、端末記憶装置２１０の電源が切断されても保持される。また、揮発性記憶装置２１２には、サーバ記憶装置１０２に記憶される複数の設定データの内の一部の設定データが、短期的に記憶される。揮発性記憶装置２１２に記憶された設定データは、端末記憶装置２１０の電源が切断された場合に消去される。端末テーブルは、不揮発性記憶装置２１１に記憶される。端末テーブルの詳細については後述する。
【００３５】
端末ＣＰＵ２２０は、予め端末記憶装置２１０に記憶されているプログラムに基づいて動作する。端末ＣＰＵ２２０は、汎用プロセッサであってもよい。なお、端末ＣＰＵ２２０に代えて、ＤＳＰ、ＬＳＩ、ＡＳＩＣ、ＦＰＧＡ等が用いられてもよい。
【００３６】
端末ＣＰＵ２２０は、端末通信装置２０１、操作装置２０２、表示装置２０３、撮像装置２０４、端末記憶装置２１０及び制御回路２３０と接続され、これらの各部を制御する。端末ＣＰＵ２２０は、端末通信装置２０１を介したデータ送受信制御、操作装置２０２の入力制御、表示装置２０３の出力制御、撮像装置２０４の撮像制御、端末記憶装置２１０の制御及び制御回路２３０の制御等を行い、所定の処理を実行する。
【００３７】
制御回路２３０は、撮像装置２０４により撮像された画像の補正等を実行する。
【００３８】
図２Ａは、サーバ装置１００が記憶する設定データテーブルのデータ構造の一例を示す図である。
【００３９】
図２Ａに示すように、設定データテーブルには、端末装置２００で実行される各処理で使用される複数の設定データ毎に、各設定データの識別情報（データＩＤ）及び内容情報等が関連付けて記憶される。内容情報は、各設定データの内容を示し、内容情報には、処理内容及び表示リソース等の各情報が含まれる。表示リソースには、言語、表示フォーマット、フォント、メッセージ、ボタン等の各情報が含まれる。内容情報として、サーバ記憶装置１０２内で各情報が格納されているアドレスが設定されてもよい。
【００４０】
図２Ｂは、サーバ装置１００が記憶する利用者テーブルのデータ構造の一例を示す図である。
【００４１】
図２Ｂに示すように、利用者テーブルには、複数の利用者毎に、各利用者の識別情報（利用者ＩＤ）、パスワード、使用言語、データＩＤ及び使用頻度等が関連付けて記憶される。使用言語は、各利用者が使用する言語である。データＩＤは、各利用者が使用可能な設定データのデータＩＤであり、各利用者の使用言語に対応する設定データのデータＩＤである。各利用者が使用可能な設定データは、各利用者によって実行可能な処理で使用される設定データである。使用頻度は、その利用者による所定期間内の各設定データの使用回数、即ち各処理の実行回数である。この使用頻度は、全ての端末装置２００における、その利用者による所定期間内の各設定データの使用回数の合計である。所定期間は、直近の期間であり、例えば直近の一か月間等である。なお、所定期間は、各端末装置２００が使用され始めてからの全期間でもよい。
【００４２】
利用者テーブルは、第１データの一例であり、複数の利用者のそれぞれが複数の端末装置２００で使用した設定データ毎の使用頻度を表す。なお、図２Ｂに示す例では、利用者毎に一つの使用言語が設定されているが、一人の利用者に複数の使用言語が設定されてもよい。また、利用者テーブルにおいて、使用言語は設定されなくてもよい。
【００４３】
図３は、各端末装置２００が記憶する端末テーブルのデータ構造の一例を示す図である。
【００４４】
図３に示すように、端末テーブルには、複数の設定データ毎に、各設定データのデータＩＤ、言語、使用頻度及び記憶フラグ等が関連付けて記憶される。データＩＤは、その端末テーブルが記憶された端末装置２００において使用された設定データのデータＩＤである。言語は、各設定データに対応する言語である。使用頻度は、その端末テーブルが記憶された端末装置２００における所定期間内の各設定データの使用回数、即ち各処理の実行回数である。この使用頻度は、その端末装置２００における、全ての利用者による所定期間内の各設定データの使用回数の合計である。記憶フラグは、各設定データが不揮発性記憶装置２１１に記憶されているか否かを示す。
【００４５】
端末テーブルは、第２データの一例であり、その端末テーブルを記憶する端末装置２００において使用される設定データ毎の使用頻度を表す。なお、端末テーブルにおいて、各設定データに対応する言語は記憶されなくてもよい。
【００４６】
図４は、端末記憶装置２１０及び端末ＣＰＵ２２０の概略構成を示す図である。
【００４７】
図４に示すように、端末記憶装置２１０（不揮発性記憶装置２１１）には、記憶制御プログラム２１３及び処理プログラム２１４等が記憶される。これらの各プログラムは、プロセッサ上で動作するソフトウェアにより実装される機能モジュールである。端末ＣＰＵ２２０は、端末記憶装置２１０に記憶された各プログラムを読み取り、読み取った各プログラムに従って動作する。これにより、端末ＣＰＵ２２０は、記憶制御部２２１及び処理部２２２として機能する。
【００４８】
図５は、情報処理システム１によるデータ処理の動作の例を示す動作シーケンスである。
【００４９】
以下に説明する動作シーケンスは、予めサーバ記憶装置１０２及び端末記憶装置２１０に記憶されているプログラムに基づいて、主にサーバＣＰＵ１０３及び端末ＣＰＵ２２０により、サーバ装置１００及び端末装置２００の各要素と協働して実行される。
【００５０】
最初に、端末装置２００の記憶制御部２２１は、利用者による端末装置２００へのログインを受け付ける（ステップＳ１０１）。記憶制御部２２１は、利用者により操作装置２０２を用いて利用者ＩＤが入力された場合にログインを受け付ける。なお、記憶制御部２２１は、利用者により、利用者ＩＤが記憶されたＩＤカードが不図示のカードリーダにかざされて、カードリーダが利用者ＩＤを読み取った場合にログインを受け付けてもよい。また、記憶制御部２２１は、利用者ＩＤとともにパスワードの入力を受け付け、利用者ＩＤ及びパスワードの照合（認証）に成功した場合にログインを受け付けてもよい。その場合、記憶制御部２２１は、サーバ装置１００に利用者ＩＤ及びパスワードの照合を要求し、サーバ装置１００が利用者ＩＤ及びパスワードの照合に成功した場合にログインを受け付けてもよい。このように、各端末装置２００には、情報処理システム１を利用する複数の利用者がログイン可能である。
【００５１】
次に、記憶制御部２２１は、ログインを受け付けた場合、端末通信装置２０１を介してサーバ装置１００に問合せ信号を送信する（ステップＳ１０２）。問合せ信号は、ログインした利用者が高頻度に使用する設定データを問い合わせるための信号であり、問合せ信号には、端末装置２００にログインした利用者の利用者ＩＤが含まれる。
【００５２】
次に、サーバ装置１００のサーバＣＰＵ１０３は、サーバ通信装置１０１を介して端末装置２００から問合せ信号を受信し、受信した問合せ信号に含まれる利用者ＩＤを特定する。サーバＣＰＵ１０３は、利用者テーブルから、特定した利用者ＩＤに関連付けられたデータＩＤの内、その利用者による使用頻度が高い順に第２所定数の設定データのデータＩＤを抽出する（ステップＳ１０３）。第２所定数は、１以上の数に予め設定され、例えば３である。
【００５３】
次に、サーバＣＰＵ１０３は、サーバ通信装置１０１を介して端末装置２００に応答信号を送信する（ステップＳ１０４）。応答信号は、ログインした利用者が高頻度に使用する設定データを示す信号であり、応答信号には、ステップＳ１０３で抽出したデータＩＤが含まれる。
【００５４】
次に、記憶制御部２２１は、端末通信装置２０１を介してサーバ装置１００から応答信号を受信し、受信した応答信号に含まれるデータＩＤを特定する。記憶制御部２２１は、端末テーブルの記憶フラグを参照して、特定したデータＩＤに対応する設定データが不揮発性記憶装置２１１に記憶されているか否かを判定する（ステップＳ１０５）。特定したデータＩＤに対応する設定データが不揮発性記憶装置２１１に記憶されている場合、ステップＳ１０６〜Ｓ１０８の処理は省略される。
【００５５】
一方、特定したデータＩＤに対応する設定データが不揮発性記憶装置２１１に記憶されていない場合、記憶制御部２２１は、端末通信装置２０１を介してサーバ装置１００に要求信号を送信する（ステップＳ１０６）。要求信号は、設定データの取得をサーバ装置１００に要求するための信号であり、要求信号には、取得を要求する設定データのデータＩＤが含まれる。ステップＳ１０６で送信される要求信号には、受信した応答信号に含まれるデータＩＤの内、不揮発性記憶装置２１１に記憶されていない設定データのデータＩＤが含まれる。
【００５６】
さらに、記憶制御部２２１は、端末テーブルの記憶フラグを参照し、ログインした利用者に対する開始処理に対応する設定データ、即ちその利用者に対応する開始画面を表示させるための設定データが不揮発性記憶装置２１１に記憶されているか否かを判定する。記憶制御部２２１は、ログインした利用者に対応する開始画面を表示させるための設定データが不揮発性記憶装置２１１に記憶されていない場合も、サーバ装置１００に要求信号を送信する。その場合、要求信号には、ログインした利用者に対応する開始画面を表示させるための設定データのデータＩＤが含まれる。なお、端末装置２００は、全ての利用者に対応する各開始画面を表示させるための設定データを不揮発性記憶装置２１１に事前に記憶しておいてもよい。
【００５７】
次に、サーバＣＰＵ１０３は、サーバ通信装置１０１を介して端末装置２００から要求信号を受信し、受信した要求信号に含まれるデータＩＤを特定する。サーバＣＰＵ１０３は、設定データテーブルから、特定したデータＩＤに関連付けられた設定データを読み出し、読み出した各設定データを、サーバ通信装置１０１を介して端末装置２００に送信する（ステップＳ１０７）。
【００５８】
一方、記憶制御部２２１は、端末通信装置２０１を介してサーバ装置１００から設定データを受信し、受信した設定データを揮発性記憶装置２１２に記憶する（ステップＳ１０８）。この場合、受信した設定データは、揮発性記憶装置２１２に短期的に記憶される。
【００５９】
このように、記憶制御部２２１は、その端末装置２００にログインした利用者による使用頻度が高い順に第２所定数の設定データが不揮発性記憶装置２１１に記憶されていない場合、その設定データをサーバ装置１００から取得して揮発性記憶装置２１２に記憶する。即ち、記憶制御部２２１は、その利用者による使用頻度が最も高い設定データが不揮発性記憶装置２１１に記憶されていない場合、その設定データをサーバ装置１００から取得して揮発性記憶装置２１２に記憶する。各設定データは、サーバ装置１００により、利用者テーブルに記憶された使用頻度に基づいて抽出され、端末装置２００に送信される。端末装置２００は、その利用者により実行される可能性が高い処理に対応する設定データを事前に取得しておくことにより、その処理が利用者に指定されたときに、その処理を即時に実行できる。したがって、端末装置２００は、高確率で実行される処理に要する時間を短縮でき、利用者の利便性を向上させることができる。
【００６０】
次に、処理部２２２は、開始画面を表示装置２０３に表示する（ステップＳ１０９）。処理部２２２は、不揮発性記憶装置２１１又は揮発性記憶装置２１２から、ログインした利用者に対応する開始画面を表示させるための設定データを読み出し、読み出した設定データに従って、開始画面を表示装置２０３に表示する。
【００６１】
図６Ａは、開始画面６００の一例を示す模式図である。
【００６２】
図６Ａに示すように、開始画面６００には、ログインした利用者により実行可能な各通常処理６０１〜６０４が利用者によって指定可能に一覧表示される。
【００６３】
次に、処理部２２２は、利用者による処理の指定を受け付ける（ステップＳ１１０）。処理部２２２は、表示装置２０３に表示された開始画面内で、利用者により操作装置２０２を用いて何れかの処理が指定された場合に、その処理の指定を受け付ける。
【００６４】
次に、記憶制御部２２１は、端末通信装置２０１を介してサーバ装置１００に通知信号を送信する（ステップＳ１１１）。通知信号は、端末装置２００が使用した設定データをサーバ装置１００に通知するための信号であり、通知信号には、ログインした利用者の利用者ＩＤ及び利用者により指定された処理に対応する設定データのデータＩＤが含まれる。ステップＳ１１１で送信される通知信号には、ステップＳ１１０で指定された設定データのデータＩＤが含まれる。
【００６５】
次に、サーバＣＰＵ１０３は、サーバ通信装置１０１を介して端末装置２００から通知信号を受信し、受信した通知信号に含まれる利用者ＩＤ及びデータＩＤを特定する。サーバＣＰＵ１０３は、利用者テーブルにおいて、特定した利用者ＩＤ及びデータＩＤに関連付けられた使用頻度を更新する（ステップＳ１１２）。サーバＣＰＵ１０３は、利用者テーブルにおいて、特定した利用者ＩＤ及びデータＩＤに関連付けられた使用頻度をインクリメント（＋１）する。また、サーバＣＰＵ１０３は、端末装置２００から通知信号を受信した時刻を記憶しておき、その通知信号を受信してから所定期間が経過した場合、その使用頻度をデクリメント（−１）する。
【００６６】
一方、記憶制御部２２１は、通知信号をサーバ装置１００に送信した場合、端末テーブルにおいて、利用者により指定された処理に対応する設定データのデータＩＤに関連付けられた使用頻度を更新する（ステップＳ１１３）。記憶制御部２２１は、端末テーブルにおいて、そのデータＩＤに関連付けられた使用頻度をインクリメント（＋１）する。なお、記憶制御部２２１は、利用者により処理の指定を受け付けた時刻を記憶しておき、その処理の指定を受け付けてから所定期間が経過した場合、その使用頻度をデクリメント（−１）する。
【００６７】
次に、記憶制御部２２１は、利用者により指定された処理に対応する設定データが不揮発性記憶装置２１１又は揮発性記憶装置２１２に記憶されているか否かを判定する（ステップＳ１１４）。利用者により指定された処理に対応する設定データが不揮発性記憶装置２１１又は揮発性記憶装置２１２に記憶されている場合、ステップＳ１１５〜Ｓ１１７の処理は省略される。
【００６８】
一方、利用者により指定された処理に対応する設定データが不揮発性記憶装置２１１又は揮発性記憶装置２１２に記憶されていない場合、記憶制御部２２１は、端末通信装置２０１を介してサーバ装置１００に要求信号を送信する（ステップＳ１１５）。ステップＳ１１５で送信される要求信号には、利用者により指定された処理に対応する設定データのデータＩＤが含まれる。
【００６９】
次に、サーバＣＰＵ１０３は、サーバ通信装置１０１を介して端末装置２００から要求信号を受信し、受信した要求信号に含まれるデータＩＤを特定する。サーバＣＰＵ１０３は、設定データテーブルから、特定したデータＩＤに関連付けられた設定データを読み出し、読み出した各設定データを、サーバ通信装置１０１を介して端末装置２００に送信する（ステップＳ１１６）。
【００７０】
一方、記憶制御部２２１は、端末通信装置２０１を介してサーバ装置１００から設定データを受信し、受信した設定データを揮発性記憶装置２１２に記憶する（ステップＳ１１７）。この場合、受信した設定データは、揮発性記憶装置２１２に短期的に記憶される。
【００７１】
このように、記憶制御部２２１は、処理部２２２が実行する処理に対応する設定データが端末記憶装置２１０に記憶されていない場合、その設定データをサーバ装置１００から新たに取得する。端末装置２００は、各処理を実行するための設定データを保持していない場合でも、その設定データをサーバ装置１００から新たに取得するため、全ての処理を確実に実行することができる。
【００７２】
次に、記憶制御部２２１は、端末テーブルに記憶された使用頻度に基づいて、不揮発性記憶装置２１１に長期的に記憶する設定データを更新する（ステップＳ１１８）。記憶制御部２２１は、その端末装置２００において使用頻度が高い順に第１所定数の設定データを不揮発性記憶装置２１１に記憶しておく。そのために、記憶制御部２２１は、その端末装置２００において、ステップＳ１０８又はＳ１１７で新たに取得した設定データの使用頻度の順位が第１所定数に係る順位以内であるか否か（例えば、第１所定数が３である場合は３位以内であるか否か）を判定する。
【００７３】
記憶制御部２２１は、その端末装置２００において、新たに取得した設定データの使用頻度の順位が第１所定数に係る順位以内である場合、その設定データを不揮発性記憶装置２１１に記憶する。代わりに、記憶制御部２２１は、不揮発性記憶装置２１１に記憶されていた設定データの内、使用頻度の順位が第１所定数に係る順位外になった設定データを不揮発性記憶装置２１１から消去する。また、記憶制御部２２１は、端末テーブルにおいて、不揮発性記憶装置２１１に新たに記憶した設定データに関連付けられた記憶フラグをＯＮに設定し、不揮発性記憶装置２１１から消去した設定データに関連付けられた記憶フラグをＯＦＦに設定する。
【００７４】
このように、記憶制御部２２１は、サーバ装置１００から取得した設定データの中から、端末テーブルに記憶された使用頻度に基づいて、その端末装置２００において使用頻度が高い順に第１所定数の設定データを不揮発性記憶装置２１１に記憶しておく。即ち、記憶制御部２２１は、その端末装置２００において使用頻度が最も高い設定データを含む第１所定数の設定データを不揮発性記憶装置２１１に記憶しておく。これにより、端末装置２００は、その端末装置２００で実行される可能性が高い処理が利用者により指定されたときに、その処理を即時に実行できる。したがって、端末装置２００は、実行される可能性が高い処理に要する時間を短縮でき、利用者の利便性を向上させることができる。
【００７５】
次に、処理部２２２は、ステップＳ１１０で利用者により指定された処理に対応する処理画面を表示装置２０３に表示する（ステップＳ１１９）。処理部２２２は、不揮発性記憶装置２１１又は揮発性記憶装置２１２から、利用者により指定された処理に対応する設定データを読み出し、読み出した設定データに従って、処理画面を表示装置２０３に表示する。
【００７６】
図６Ｂは、処理画面６１０の一例を示す模式図である。
【００７７】
図６Ｂに示すように、処理画面６１０には、開始画面６００で利用者により指定された通常処理に関する各情報が表示される。処理画面６１０には、その通常処理の名称６１１、内容６１２及び開始ボタン６１３等が表示される。利用者により開始ボタン６１３が押下されると、処理部２２２は、利用者によるその通常処理の実行指示を受け付ける。
【００７８】
次に、処理部２２２は、利用者による処理の実行指示を受け付けた場合、その処理を実行する（ステップＳ１２０）。処理部２２２は、その処理に対応する設定データに従って、処理を実行する。例えば、処理部２２２は、所定サイズの原稿を撮像装置２０４に撮像させ、撮像した画像を制御回路２３０に補正させ、補正した画像を、端末通信装置２０１を介して不図示の情報処理装置に送信する処理を実行する。
【００７９】
このように、処理部２２２は、端末テーブルに記憶された使用頻度に基づいて不揮発性記憶装置２１１に記憶した設定データ、又は、利用者テーブルに記憶された使用頻度に基づいて端末記憶装置２１０に記憶した設定データを使用して各処理を実行する。特に、処理部２２２は、ステップＳ１１７で記憶制御部２２１がサーバ装置１００から新たに設定データを取得していた場合、その新たに取得した設定データを使用して処理を実行する。
【００８０】
次に、処理部２２２は、処理の実行結果を示す結果画面を表示装置２０３に表示する（ステップＳ１２１）。
【００８１】
図６Ｃは、結果画面６２０の一例を示す模式図である。
【００８２】
図６Ｃに示すように、結果画面６２０には、処理画面６１０で実行指示を受け付けた処理の実行結果６２１及び戻るボタン６２２等が表示される。利用者により戻るボタン６２２が押下されると、処理部２２２は、処理をステップＳ１０９に戻し、開始画面６００を再度表示する。
【００８３】
以後、端末装置２００は、利用者による端末装置２００からのログアウトを受け付けるまで、ステップＳ１０９〜Ｓ１２１の処理を繰り返す。端末装置２００は、ログアウトを受け付けると、処理をステップＳ１０１に戻し、新たな利用者によるログインを受け付けるまで待機する。
【００８４】
なお、ステップＳ１１１〜Ｓ１１３の使用頻度の更新処理は、ステップＳ１１９もしくはＳ１２０の処理と並行して、又は、ステップＳ１１９もしくはＳ１２０の処理の後に実行されてもよい。同様に、ステップＳ１１８の設定データの更新処理は、ステップＳ１１９もしくはＳ１２０の処理と並行して、又は、ステップＳ１１９もしくはＳ１２０の処理の後に実行されてもよい。即ち、記憶制御部２２１は、処理部２２２が設定データを使用したときに、不揮発性記憶装置２１１に記憶する設定データを更新する。これにより、端末装置２００は、設定データが使用されたタイミングで不揮発性記憶装置２１１に記憶しておく設定データを適切に更新することができる。
【００８５】
また、開始処理に対応する設定データの使用頻度は、各通常処理に対応する設定データの使用頻度と同様に更新されてもよい。例えば、記憶制御部２２１は、ステップＳ１０９で処理部２２２が開始画面を表示装置２０３に表示するたびに、開始画面を表示させるための設定データのデータＩＤを含む通知信号をサーバ装置１００に送信する。一方、サーバＣＰＵ１０３は、その通知信号を受信した場合、利用者テーブルにおいて、その設定データのデータＩＤに関連付けられた使用頻度を更新する。同様に、記憶制御部２２１は、ステップＳ１０９で処理部２２２が開始画面を表示装置２０３に表示するたびに、端末テーブルにおいて、開始画面を表示させるための設定データのデータＩＤに関連付けられた使用頻度を更新する。
【００８６】
以上詳述したように、情報処理システム１では、各端末装置２００が、各端末装置２００での使用頻度が高い設定データを記憶しつつ、ログインした利用者の全端末装置２００での使用頻度が高い設定データを記憶する。これにより、各端末装置２００は、使用される可能性が高い設定データを効率良く記憶しておき、その設定データを、使用直前にサーバ装置１００からダウンロードすることなく使用することができる。したがって、複数の利用者に使用される端末装置２００を有する情報処理システム１において、各端末装置２００の記憶容量を増大させることなく、円滑に処理を実行することが可能となった。
【００８７】
一般に、各端末装置２００は、配置されるエリアによって使用態様が異なる。例えば、銀行等では、顧客の対応窓口に配置された端末装置２００は、顧客によって記入された帳票等を処理するために使用され、バックヤードに配置された端末装置２００は、職員が使用するコピー用紙等を処理するために使用される。情報処理システム１では、各端末装置２００が、各端末装置２００での使用頻度が高い設定データを記憶するため、各端末装置２００の使用態様に応じた設定データを事前に記憶しておくことができる。
【００８８】
一方、各端末装置２００は、利用者によっても使用態様が異なる。例えば、銀行等では、顧客対応を行う担当者は、顧客によって記入された帳票等を処理するために端末装置２００を使用し、行内向けの作業を行う作業者は、コピー用紙等を処理するために端末装置２００を使用する。情報処理システム１では、各端末装置２００が、ログインした利用者の全端末装置２００での使用頻度が高い設定データを事前に取得するため、各利用者の使用態様に応じた設定データを事前に記憶しておくことができる。これにより、利用者は、特定の端末装置２００を使用した後でその端末装置２００から離れた位置に配置された端末装置２００を使用する場合でも、自身が使用する可能性が高い設定データを、使用直前にサーバ装置１００からダウンロードすることなく使用できる。
【００８９】
特にスキャナ、プリンタ等の組込装置では、装置コスト及び装置サイズを低減させるために、記憶容量を低減させることが望まれている。一方、近年のグローバル化に伴い、一つの組込装置が、日本人だけでなく様々な外国人にも使用されるシーンが増加している。そのため、このような組込装置は、表示装置に表示させるために、様々な言語に対応した表示フォーマット、フォント、メッセージ又はボタン等の表示リソースを記憶しておく必要がある。しかしながら、個々の表示リソースのデータサイズは大きく、多数の言語に対応した表示リソースを記憶しておくためには、記憶容量を増大させる必要がある。情報処理システム１では、各端末装置２００が、使用される可能性が高い設定データを効率良く記憶しておくため、各端末装置２００の記憶容量の増大を抑制させることができる。
【００９０】
また、各端末装置２００は、利用者がログインしたときに、その利用者に対応する設定データを自動的に取得するため、利用者は所望する設定データを取得するための操作を行う必要がなく、利用者の利便性を向上させることができる。
【００９１】
また、情報処理システム１では、サーバ装置１００が、各利用者が全ての端末装置２００で使用した設定データ毎の使用頻度を管理するため、全ての端末装置２００を一元管理することができ、システム構成を単純化することができる。
【００９２】
図７は、他の実施形態に係る端末装置における制御回路３３０の概略構成を示す図である。
【００９３】
制御回路３３０は、端末装置２００の制御回路２３０の代わりに使用され、ＣＰＵ２２０の代わりに、データ処理を実行する。制御回路３３０は、記憶制御回路３３１及び処理回路３３２等を有する。なお、これらの各部は、それぞれ独立した集積回路、マイクロプロセッサ、ファームウェア等で構成されてもよい。
【００９４】
記憶制御回路３３１は、記憶制御部の一例であり、記憶制御部２２１と同様の機能を有する。記憶制御回路３３１は、端末通信装置２０１を介してサーバ装置１００から設定データを受信し、端末テーブルに記憶された使用頻度に基づいて、端末装置において使用頻度が高い設定データを端末記憶装置２１０に記憶する。また、記憶制御回路３３１は、利用者テーブルに記憶された使用頻度に基づいてサーバ装置１００から受信した、利用者による使用頻度が高い設定データを端末記憶装置２１０に記憶する。
【００９５】
処理回路３３２は、処理部の一例であり、処理部２２２と同様の機能を有する。処理回路３３２は、操作装置２０２から利用者による処理の実行指示を受け付け、端末記憶装置２１０から設定データを読み出す。処理回路３３２は、読み出した設定データを使用して、撮像装置２０４等に処理を実行させ、処理結果を表示装置２０３に表示する。
【００９６】
以上詳述したように、端末装置は、制御回路３３０を用いる場合においても、記憶容量を増大させることなく、円滑に処理を実行することが可能となった。
【符号の説明】
【００９７】
１    情報処理システム
１００    サーバ装置
１０２    サーバ記憶装置
２００    端末装置
２１０    端末記憶装置
２２１    記憶制御部
２２２    処理部
【図１】
2020141314.tif 000003
【図２Ａ】
2020141314.tif 000004
【図２Ｂ】
2020141314.tif 000005
【図３】
2020141314.tif 000006
【図４】
2020141314.tif 000007
【図５】
2020141314.tif 000008
【図６Ａ】
2020141314.tif 000009
【図６Ｂ】
2020141314.tif 000010
【図６Ｃ】
2020141314.tif 000011
【図７】
2020141314.tif 000012